【事件の表示】
　特願２０１３−８７４４９号「遊技機」拒絶査定不服審判事件〔平成２６年１１月１３日出願公開、特開２０１４−２１００２９号〕について、次のとおり審決する。
【結　論】
　本件審判の請求は、成り立たない。
【理　由】
１　手続の経緯の概要
　本願は、平成２５年４月１８日の出願であって、平成２８年１２月１日付けで拒絶の理由が通知され、平成２９年２月３日に意見書及び手続補正書が提出されたところ、同年３月２９日付けで拒絶査定がなされ（発送日：同年４月４日）、それに対し、同年７月４日に拒絶査定不服審判の請求がなされ、その請求と同時に手続補正がなされ、さらに、同年９月２７日付けで前置報告がなされ、同年１１月１３日付けで上申書が提出されたものである。
　そして、当審にて平成３０年１月２９日付けで拒絶理由を通知したところ、同年３月２９日に意見書及び手続補正書が提出されたものである。
　
２　本願発明
　本願の請求項１に係る発明は、平成３０年３月２９日付け手続補正書により補正された特許請求の範囲の請求項１に記載されたとおりのものであるところ、その請求項１に係る発明（以下「本願発明」という。）は、次のとおりのものである。
　
「Ａ　所定の遊技を行う遊技機であって、
Ｂ　整列配置された複数の発光体の発光態様により表示演出を実行する表示手段と、
Ｃ　前記複数の発光体の発光態様を特定可能な点灯制御情報として、前記複数の発光体が配置された領域を分割した複数のブロックごとにブロック制御情報を作成する制御情報作成手段と、
Ｄ　前記制御情報作成手段によって作成された点灯制御情報に基づいて前記複数の発光体の点灯制御を行う点灯制御手段とを備え、
Ｅ　前記制御情報作成手段は、表示演出における表示内容を特定可能な表示データに基づいて点灯制御情報を作成し、
Ｆ　前記ブロック制御情報は、該ブロック制御情報に対応するブロックに含まれる１の発光体の発光態様と、該ブロックに含まれ前記１の発光体とは異なる発光態様で発光可能な他の発光体の発光態様とを、特定可能であり、
Ｇ　前記複数のブロックは、いずれも特定数の発光体が含まれるように構成された第１のブロックと第２のブロックとを含み、
Ｈ　前記制御情報作成手段は、点灯制御情報を含む制御信号をシリアル信号方式で複数系統のシリアル信号配線に出力する出力手段を含み、
Ｉ　前記点灯制御手段は、前記複数系統のシリアル信号配線に接続された複数の制御回路を含み、
Ｊ　前記複数の制御回路のうち、前記第１のブロックに含まれる特定数の発光体の点灯制御を行うための制御回路は、前記複数系統のシリアル信号配線のうち第１系統のシリアル信号配線を介して接続され、前記第２のブロックに含まれる特定数の発光体の点灯制御を行うための制御回路は、前記複数系統のシリアル信号配線のうち前記第１系統のシリアル信号配線とは異なる第２系統のシリアル信号配線を介して接続される、
　ことを特徴とする遊技機。」（Ａ〜Ｊは、当審にて分説して付与した。）
　
３　刊行物に記載された発明
（１）刊行物１
　当審による拒絶理由において刊行物として提示された、本願の出願前に頒布された刊行物１である特開２０１１−２５０９６７号公報には、次の事項が記載されていると認められる。
　
　・記載事項
　ア　「【技術分野】
【０００１】
　
本発明は、パチンコ遊技機
に関する。
　
　イ　「【００１７】
　本発明の課題は、Ｉ２Ｃバスに代表される高速シリアルバスによるシリアル通信方式のメリットを損なうことなく、高速通信安定性を向上させ、
所定の演出効果を達成できる遊技機を提供する
【課題を解決するための手段】
【００１８】
　図７に例示するように、本発明は、シリアルクロックライン（ＳＣＬ）とシリアルデータライン（ＳＤＡ）との２ラインにてマスターとスレーブとの間で通信を行う高速シリアルバスにより、マスターとなるマイクロコントローラ（ＭＳＴ）とスレーブとなる複数の演出用ドライバ（ＬＤｒ０１・・・）との間を接続した遊技機を前提とする。」
　
　ウ　「【００２６】
　図４に例示するように、一つの中グループ（ＬＥＤ基板群Ａ，Ｂ，Ｃ，Ｄ，Ｅ，Ｆ）には、基板毎に分けた複数の小グループ（例えば、第２ＬＥＤ基板群Ｂなら、Ｂ０１，Ｂ０２，Ｂ０３）を含み、
　
小グループを構成する基板毎に、その小グループに属する演出用ドライバ及びこれにより駆動する演出用デバイスを実装している（例えば、
基板Ｂ０３ならＬＤｒ１９
）。
　
　エ　「【図面の簡単な説明】
【００４０】
・・・
【図３】
図３は、電飾の演出用デバイスとなるＬＥＤを実装するセンター飾りユニット部分のＬＥＤ基板群の正面図である。
【図４】
図４は、ＬＥＤドライバのグループ分けテーブルである。
・・・
【発明を実施するための形態】
【００４１】
　図１は本発明を適用するパチンコ遊技機１を示し、遊技枠１０に本体１１を開扉可能に支持している。本体１１の前面上部には、丸窓１２にガラス１３を嵌めたフロント扉１４を有し、その内方に遊技盤２を備える。フロント扉１４の下には、貸玉及び賞玉を受ける上受皿３１、内方で溢れた玉を受ける下受皿３２、遊技盤２に１分間について１００個に近い数のパチンコ玉を連続的に打ち出し、回転操作角度によりパチンコ玉の打ち出し強さを調整できる発射ハンドル４、効果音やＢＧＭ等を出音する左右スピーカ５１，５２を備える。４０は、発射ハンドル４の回転操作中に玉の打ち出しを一時休止させる発射停止ボタンである。
【００４２】
　フロント扉１４には、独特の意匠を凝らした半透明樹脂素材から成る装飾ランプカバー６１，６２，６３，６４，６５を備え、内蔵する前扉右上飾りＬＥＤ基板Ｅ０１、
前扉右下飾りＬＥＤ基板Ｅ０２、前扉左下飾りＬＥＤ基板Ｅ０３、前扉左上飾りＬＥＤ基板Ｅ０４に各々実装する演出用デバイスたる多数のＬＥＤにより、遊技中及び遊技待ち状態時、所定の電飾演出がされる。
・・・
【００４５】
　図２に示すように、遊技盤２には、次の１）〜８）の遊技部品を備える。
１）センター飾りユニット７
　このセンター飾りユニット７は、中央部に比較的大型のカラー液晶表示器から成る演出表示装置７０を備え、この表示装置７０を取り囲むように、タイトル表示部等をもつ上装飾部７１、ワープルート玉入口等をもつ左装飾部７２、右サイド飾りと一体化させた右装飾部７３、玉ステージ及び玉出口等をもつ下装飾部７４から成る半透明樹脂製装飾枠７００を有する。
・・・
【００４９】
　下装飾部７４は、内蔵するセンター飾りＬＥＤ基板１０（Ｄ０１）、
センター飾りＬＥＤ基板１１（Ｄ０２）及びセンター飾りＬＥＤ基板１２（Ｄ０３）に各実装するＬＥＤにより、遊技中及び遊技待ち状態時、所定の電飾演出がされる。
　
　オ　「【００７２】
　図３に、センター飾りユニット７の各装飾部７１，７２，７３，７４の背後に対応させて内蔵するセンター飾りＬＥＤ基板Ａ０１〜Ａ１２の物理的配置図を示す。
・・・
【００７７】
　センター飾りＬＥＤ基板１０（Ｄ０１）には、多色ＬＥＤを７個（ＬＥＤ−７５１〜ＬＥＤ−７５７）、緑色ＬＥＤを３個（ＬＥＤ−Ｇ０６〜ＬＥＤ−Ｇ０８）実装している。
センター飾りＬＥＤ基板１１（Ｄ０２）には、青色ＬＥＤを８個
実装している。センター飾りＬＥＤ基板１２（Ｄ０３）には、青色ＬＥＤを８個
実装している。
・・・
【００８０】
　さらに、前扉右上飾りＬＥＤ基板（Ｅ０１）には、多色ＬＥＤを８個（ＬＥＤ−７５８〜ＬＥＤ−７６５）実装している。
前扉右下飾りＬＥＤ基板（Ｅ０２）には、赤色ＬＥＤを２個
緑色ＬＥＤを２個
青色ＬＥＤを２個
実装している。
【００８１】
　
前扉左下飾りＬＥＤ基板（Ｅ０３）には、赤色ＬＥＤを２個
緑色ＬＥＤを２個
青色ＬＥＤを２個
白色ＬＥＤを２個
実装している。前扉左上飾りＬＥＤ基板（Ｅ０４）には、赤色ＬＥＤを２個
緑色ＬＥＤを２個
青色ＬＥＤを２個
白色ＬＥＤを２個
実装している。
　
　カ　「【００９０】
　センター飾りＬＥＤ基板１０（Ｄ０１）、
センター飾りＬＥＤ基板１１（Ｄ０２）、センター飾りＬＥＤ基板１２（Ｄ０３）
は、
これらの基板に含まれるＬＥＤドライバ（ＬＤｒ２９〜３８）
第４ＬＥＤ基板群Ｄを構成している。
【００９１】
　前扉右上飾りＬＥＤ基板（Ｅ０１）、
前扉右下飾りＬＥＤ基板（Ｅ０２）、前扉左下飾りＬＥＤ基板（Ｅ０３）、前扉左上飾りＬＥＤ基板（Ｅ０４）は、
これらの基板に含まれるＬＥＤドライバ
第５ＬＥＤ基板群Ｅを構成している。
【００９２】
　受皿左飾りＬＥＤ基板（Ｆ０１）、受皿中飾りＬＥＤ基板（Ｆ０２）、受皿右飾りＬＥＤ基板（Ｆ０３）、受皿下飾りＬＥＤ基板（Ｆ０４）は、上受皿３１の内部に配置され、かつ、演出上の関連性も密接で、しかも、これらの基板に含まれるＬＥＤドライバ（ＬＤｒ４５〜４８）の数も４個と適正範囲内であるため、中グループの一つのである
第６ＬＥＤ基板群Ｆ
【００９３】
　以上、６つに中分類した基板群Ａ〜Ｆのうち、
基板群Ａ，Ｂ，Ｃ，Ｄは、遊技盤２の電飾に当てられ、基板群Ｅ，Ｆは、遊技盤２以外の電飾に当てられる。
第４ＬＥＤ基板群Ｄの
ＬＥＤドライバを含む第２大グループとに大分類している。
基板群Ｅ，Ｆを二分して各一つを含ませている。
【００９４】
　したがって、
第１大グループは、
第５ＬＥＤ基板群Ｅから成り、第１大グループ以外の第２大グループは、
第４ＬＥＤ基板群Ｄ
から成る。第１大グループには、Ｉ２Ｃバスの
２系統のシリアルデータラインＳＤＡ１，ＳＤＡ２
ＳＤＡ１を接続している。
第２大グループには、ＳＤＡ２を接続している。
　
　キ　「【０１００】
　図６に示すように、
遊技機の内部に設ける制御装置ＣＮは、互いに独立した基板で構成する主制御部ＭＣ
第２周辺制御部ＳＣ２
から成る。
【０１０１】
　
主制御部ＭＣには、
遊技制御用マイクロコンピュータＣＰＵ０を実装し
・・・
【０１０５】
　
第２周辺制御部ＳＣ２には、ＲＯＭ／ＲＡＭ一体型の第２演出用マイクロコンピュータＣＰＵ２を実装している。このマイクロコンピュータＣＰＵ２は、
マイクロコントローラＭＳＴとして機能する。
各ＬＥＤ基板
Ｄ０２，Ｄ０３
Ｅ０２，Ｅ０３，Ｅ０４
に各々実装したＬＥＤを制御している。
　
　ク　「【０１７８】
　図２２及び図２３に示すように、各ＬＥＤドライバＬＤｒ０１〜ＬＤｒ４８のそれぞれの３つのハードウェアアドレス端子（アドレス入力Ａ０，Ａ１，Ａ２）は、０ＶのＧＮＤ、＋５ＶのＶＣＣ、シリアルクロックラインＳＣＬ、シリアルデータラインＳＤＡの何れかと接続している。これにより、Ｉ２Ｃバスのマスターとなる
マイクロコントローラＭＳＴ
ＬＥＤドライバＬＤｒ０１〜ＬＤｒ４８毎に異なるスレーブアドレス
を確定させている。
【０１７９】
　図２４に示すように、Ｉ２Ｃバスの
マスターとなるマイクロコントローラＭＳＴから、Ｉ２Ｃバスのスレーブとなる各ＬＥＤドライバＬＤｒ０１〜ＬＤｒ４８へのＩ２Ｃバス上のデータ転送
・・・
【０１８１】
　
スレーブアドレスが
各自のアドレスと
一致した場合、そのＬＥＤドライバはスレーブレシーバとしてマスターからアドレス指定されたと判断する。
【０１８２】
　
シリアルデータラインＳＤＡに出力される各バイト
アドレス指定するＬＥＤドライバの制御態様に応じて、必要なデータバイト
を
送る
【０１８３】
　
制御しようとするＬＥＤドライバの制御態様に応じたデータバイト
により
ＬＥＤドライバ
ＬＥＤ出力
に接続する各ＬＥＤを、個別に又はグループで、オンオフはもちろんのこと、完全オフから最大輝度までの範囲内で調光等するようにしている。
　
・認定事項
　ケ　【０００１】に「本発明は、パチンコ遊技機・・・に関する。」と記載され、
　【０１００】に「・・・遊技機の内部に設ける制御装置ＣＮは、互いに独立した基板で構成する主制御部ＭＣ、・・・第２周辺制御部ＳＣ２・・・から成る。・・・」と記載され、
　【０１０１】に「主制御部ＭＣには、・・・遊技制御用マイクロコンピュータＣＰＵ０を実装し・・・」と記載され、
　【０１０５】に「第２周辺制御部ＳＣ２には、ＲＯＭ／ＲＡＭ一体型の第２演出用マイクロコンピュータＣＰＵ２を実装している。このマイクロコンピュータＣＰＵ２は、・・・マイクロコントローラＭＳＴとして機能する。・・・」と記載されている。
　ここで、上記【０１０５】の「このマイクロコンピュータＣＰＵ２は、・・・マイクロコントローラＭＳＴとして機能する。」との記載から、「マイクロコンピュータＣＰＵ２」は「マイクロコントローラＭＳＴ」に等価であるといえる。
　したがって、刊行物１には、「遊技制御用マイクロコンピュータＣＰＵ０を実装する主制御部ＭＣと、ＲＯＭ／ＲＡＭ一体型のマイクロコントローラＭＳＴを実装する第２周辺制御部ＳＣ２とを設けたパチンコ遊技機」について示されてるものと認められる。
　
　コ　電飾の演出用デバイスとなるＬＥＤを実装するセンター飾りユニット部分のＬＥＤ基板群の正面図である【図３】には、ＬＥＤが、ＬＥＤ基板群の基板に列状に多数配置されたことが示されている。
　【０１８３】に「・・・各ＬＥＤを・・・オンオフはもちろんのこと、完全オフから最大輝度までの範囲内で調光等するようにしている。」と記載され、
　【００４２】に「・・・前扉右下飾りＬＥＤ基板Ｅ０２、前扉左下飾りＬＥＤ基板Ｅ０３、前扉左上飾りＬＥＤ基板Ｅ０４に各々実装する演出用デバイスたる多数のＬＥＤにより、遊技中及び遊技待ち状態時、所定の電飾演出がされる。」と記載され、
　【００４９】に「・・・センター飾りＬＥＤ基板１１（Ｄ０２）及びセンター飾りＬＥＤ基板１２（Ｄ０３）に各実装するＬＥＤにより、遊技中及び遊技待ち状態時、所定の電飾演出がされる。」と記載され、
　【００９０】に「・・・センター飾りＬＥＤ基板１１（Ｄ０２）、センター飾りＬＥＤ基板１２（Ｄ０３）・・・は、・・・第４ＬＥＤ基板群Ｄを構成している。」と記載され、
　【００９１】に「・・・前扉右下飾りＬＥＤ基板（Ｅ０２）、前扉左下飾りＬＥＤ基板（Ｅ０３）、前扉左上飾りＬＥＤ基板（Ｅ０４）は、・・・第５ＬＥＤ基板群Ｅを構成している。」と記載され、
　【００９３】に「・・・基板群Ａ，Ｂ，Ｃ，Ｄは、遊技盤２の電飾に当てられ、基板群Ｅ，Ｆは、遊技盤２以外の電飾に当てられる。・・・」と記載されている。
　これらの記載から、基板Ｅ０２〜Ｅ０４は、基板群Ｅを構成し、基板Ｄ０２〜Ｄ０３は、基板群Ｄを構成するといえる。
　したがって、刊行物１には、「各ＬＥＤのオンオフはもちろんのこと、完全オフから最大輝度までの範囲内で調光等され、ＬＥＤ基板Ｅ０２〜０４、基板Ｄ０２〜０３に各実装される、列状に多数配置されたＬＥＤにより、遊技中及び遊技待ち状態時、所定の電飾演出がされる基板群Ｅ、Ｄ」について示されていると認められる。
　
　サ　【０１０５】に「・・・このマイクロコンピュータＣＰＵ２は、・・・マイクロコントローラＭＳＴとして機能する。・・・各ＬＥＤ基板・・・Ｄ０２，Ｄ０３・・・Ｅ０２，Ｅ０３，Ｅ０４・・・に各々実装したＬＥＤを制御している。」と記載され、
　【０１７９】に「・・・マスターとなるマイクロコントローラＭＳＴから、Ｉ２Ｃバスのスレーブとなる各ＬＥＤドライバＬＤｒ０１〜ＬＤｒ４８へのＩ２Ｃバス上のデータ転送は、・・・」と記載され、
　【０１８１】に「スレーブアドレスが・・・各自のアドレスと・・・一致した場合、そのＬＥＤドライバはスレーブレシーバとしてマスターからアドレス指定されたと判断する。」と記載され、
　【０１８２】に「シリアルデータラインＳＤＡに出力される各バイト・・・アドレス指定するＬＥＤドライバの制御態様に応じて、必要なデータバイト・・・を・・・送る」と記載され、
　【０１８３】に「・・・ＬＥＤドライバの制御態様に応じたデータバイト・・・により、・・・各ＬＥＤを、個別に又はグループで、オンオフはもちろんのこと、完全オフから最大輝度までの範囲内で調光等する・・・」と記載され、
　【００２６】に「小グループを構成する基板毎に、その小グループに属する演出用ドライバ及びこれにより駆動する演出用デバイスを実装している（例えば、・・・基板Ｂ０３ならＬＤｒ１９・・・）。」と記載され、
　ＬＥＤドライバのグループ分けテーブルである【図４】に、小グループ（基板）のセンター飾りＬＥＤ基板１１（Ｄ０２）、センター飾りＬＥＤ基板１２（Ｄ０３）、前扉右下飾りＬＥＤ基板（Ｅ０２）、前扉左下飾りＬＥＤ基板（Ｅ０３）、及び、前扉左上飾りＬＥＤ基板（Ｅ０４）に、それぞれ、ＬＥＤドライバのＬＤｒ３２、ＬＤｒ３３、ＬＤｒ４２、ＬＤｒ４３、及び、ＬＤｒ４４が１対１に対応して設けられていることが示されている。
　そして、【０１８１】の記載、及び、【０１８２】の「・・・アドレス指定するＬＥＤドライバの制御態様に応じて、必要なデータバイト・・・を・・・送る」との記載から、制御態様に応じたデータバイトは、スレーブアドレスにより指定したＬＥＤドライバ毎に特定されるものといえる。
　したがって、刊行物１には、「マイクロコントローラＭＳＴは、ＬＥＤ基板Ｄ０２〜０３、Ｅ０２〜０４に各々実装したＬＥＤを制御するものであり、各ＬＥＤを、個別に又はグループで、オンオフはもちろんのこと、完全オフから最大輝度までの範囲内で調光等を行うためのＬＥＤドライバの制御態様に応じたデータバイトを、スレーブアドレスにより指定した小グループを構成するＬＥＤ基板Ｄ０２〜０３、Ｅ０２〜０４、すなわち、ＬＥＤドライバＬＤｒ３２〜３３、ＬＤｒ４２〜４４へデータ転送」すること（サ−１）について示されているものと認められる。
　同様に、「マイクロコントローラＭＳＴは、アドレス指定するＬＥＤドライバの制御態様に応じて、必要なデータバイトをデータ転送」すること（サ−２）について示されているものと認められる。
　
　シ　上記ア〜クの記載事項、及び、上記ケ〜サ−２の認定事項を踏まえると、刊行物１には、次の発明（以下「刊行物発明」という。）が記載されているものと認められる（ａ〜ｊは、本願発明のＡ〜Ｊに対応させて付与した。）。
「ａ　遊技制御用マイクロコンピュータＣＰＵ０を実装する主制御部ＭＣと、ＲＯＭ／ＲＡＭ一体型のマイクロコントローラＭＳＴを実装する第２周辺制御部ＳＣ２とを設けたパチンコ遊技機であって（認定事項ケ）、
　
ｂ　各ＬＥＤのオンオフはもちろんのこと、完全オフから最大輝度までの範囲内で調光等され、ＬＥＤ基板Ｅ０２〜０４、Ｄ０２〜０３に各実装される、列状に多数配置されたＬＥＤにより、遊技中及び遊技待ち状態時、所定の電飾演出がされる基板群Ｅ、Ｄ（認定事項コ）と、
　
ｃ〜ｄ、ｆ　マイクロコントローラＭＳＴは、ＬＥＤ基板Ｄ０２〜０３、Ｅ０２〜０４に各々実装したＬＥＤを制御するものであり、各ＬＥＤを、個別に又はグループで、オンオフはもちろんのこと、完全オフから最大輝度までの範囲内で調光等を行うためのＬＥＤドライバの制御態様に応じたデータバイトを、スレーブアドレスにより指定した小グループを構成するＬＥＤ基板Ｄ０２〜０３、Ｅ０２〜０４、すなわち、ＬＥＤドライバＬＤｒ３２〜３３、ＬＤｒ４２〜４４へデータ転送し（認定事項サ−１）、
　
ｅ　マイクロコントローラＭＳＴは、アドレス指定するＬＥＤドライバの制御態様に応じて、必要なデータバイトをデータ転送し（認定事項サ−２）、
　
ｇ　前扉右下飾りＬＥＤ基板Ｅ０２、前扉左下飾りＬＥＤ基板Ｅ０３、前扉左上飾りＬＥＤ基板Ｅ０４、センター飾りＬＥＤ基板Ｄ０２、及び、センター飾りＬＥＤ基板Ｄ０３に各々実装する演出用デバイスたる多数のＬＥＤにより、遊技中及び遊技待ち状態時、所定の電飾演出がされ（【００４２】、【００４９】）、
　
ｈ　マイクロコントローラＭＳＴは、２系統のシリアルデータラインＳＤＡ１，ＳＤＡ２へ制御態様に応じたデータバイトを出力することによって、各ＬＥＤドライバの２ラインによるシリアル通信方式によるデータ転送を行い（【００９４】、【０１０５】、【０１７９】、【０１８２】〜【０１８３】）、
　
ｉ〜ｊ　ＳＤＡ１に接続される第１大グループに含まれる基板群ＥのＬＥＤドライバと、ＳＤＡ２に接続される第２大グループに含まれる基板群ＤのＬＥＤドライバ（【００９０】〜【００９１】、【００９３】〜【００９４】）を備える
　遊技機。」
　
（２）刊行物３
　同じく、当審による拒絶理由において刊行物として提示された、本願の出願前に頒布された刊行物３である特開２００６−２５５００２号公報には、次の事項が記載されていると認められる。
　
・記載事項
　ア　「【技術分野】
【０００１】
　本発明は、遊技盤に配設され、予め定めた特定の条件のときに画像を表示させて演出を行う演出表示装置を備えた遊技機に関し、特に、演出表示装置が、回転体に１列に多数のＬＥＤが配列されると共に、回転体が駆動モータの駆動軸に連結され、駆動モータで遊技盤面と平行な平面内で回転体を回転させつつ、多数のＬＥＤを個々に点灯させることにより、回転体の回転軌跡面上に残像効果により画像を表示させるものを用いた
遊技機
　
　イ　「【０００６】
　本発明の目的は、遊技盤面と平行な平面内で回転体を回転させつつ、多数のＬＥＤを個々に点灯させることにより、回転体の回転軌跡面上に残像効果により画像を表示させるタイプの演出表示装置によって
表示される画像の明るさが均一に見えるようにする遊技機を提供することにある。
　
　ウ　「【００６３】
　また、本実施形態では、回転装飾制御基板１１５に搭載される
ＲＯＭ１１７には、
ＬＥＤ６２の発光態様が記された複数の発光パターンが記憶されている（予め
一群の点灯データが記憶されている）。
　
　エ　「【００７９】
　ステップＡ０９に進むと、ＣＰＵは表示フラグが「１（表示）」であるか否かを判定する（ステップＡ０９）。この場合、ステップＡ０９をＹＥＳと判定してステップＡ１０に進む。ステップＡ１０に進むと、
ＲＯＭ１１７の表示データ記憶領域から、ポインタの値で指定されるＬＥＤ０〜ＬＥＤ７の点灯データ
を加工領域に読み出す
・・・
【００８２】
　以上のように、モータフラグが「１（駆動）」で、表示フラグが「１（表示）」であることを条件に、０．５ｍｓ毎に行われるタイマ割込ルーチンにおいて、回転体６１が１ステップずつ回転駆動されると共に、
画像を表示するための点灯データがＲＯＭ１１７から
読み出され、偶数番目の点灯データのＬＥＤ７の点灯データについてオフとするマスキングが行われ、点灯出力される。
　
　　上記ア、ウ〜エの記載事項を踏まえると、刊行物３には、次の技術事項（以下「刊行物３に記載された技術事項」という。）が記載されているものと認められる。
「ＲＯＭ１１７の表示データ記憶領域に、ＬＥＤ６２の発光態様が記された複数の発光パターン（一群の点灯データ）を記憶し、ポインタの値で指定されるＬＥＤ０〜ＬＥＤ７の点灯データを加工領域に読み出し、偶数番目の点灯データのＬＥＤ７の点灯データについてオフとするマスキング処理を行い、マスキング処理された後の点灯データに基づいて点灯出力されることにより、画像を表示する遊技機。」について記載されている。
　
４　対比
　本願発明と刊行物発明とを、分説に従い対比する。
（ａ）刊行物発明の構成ａは、「遊技制御用マイクロコンピュータＣＰＵ０」によって遊技制御が行われる「パチンコ遊技機」であるから、本願発明における「所定の遊技を行う遊技機」に相当する。
　
（ｂ）刊行物発明における「列状に多数配置されたＬＥＤ」と、本願発明における「整列配置された複数の発光体」とは、「列状に配置された複数の発光体」である点で共通する。
　そして、刊行物発明における「オンオフ」、及び、「完全オフから最大輝度までの範囲内」での「調光」は、本願発明における「発光態様」に相当するから、刊行物発明における「オンオフはもちろんのこと、完全オフから最大輝度までの範囲内で調光等し」、「遊技中及び遊技待ち状態時、所定の電飾演出がされる」ことは、本願発明における「発光態様により表示演出を実行する」ことに相当する。
　また、刊行物発明における「ＬＥＤ基板Ｅ０２〜０４、Ｄ０２〜０３」は、ＬＥＤが実装されていることから、本願発明における「表示手段」に相当する。
　したがって、刊行物発明における構成ｂの「各ＬＥＤのオンオフはもちろんのこと、完全オフから最大輝度までの範囲内で調光等され、ＬＥＤ基板Ｅ０２〜０４、Ｄ０２〜０３に各実装される、列状に多数配置されたＬＥＤにより、遊技中及び遊技待ち状態時、所定の電飾演出がされる基板群Ｅ、Ｄ」と、本願発明における構成Ｂの「整列配置された複数の発光体の発光態様により表示演出を実行する表示手段」とは、「列状に配置された複数の発光体の発光態様により表示演出を実行する表示手段」である点で共通する。
　
（ｃ）刊行物発明は、構成ｂより、「ＬＥＤ基板Ｅ０２〜０４、Ｄ０２〜０３」に多数のＬＥＤを実装するものである。
　そして、上記（ｂ）より、刊行物発明における「オンオフ」、及び、「完全オフから最大輝度までの範囲内」での「調光」は、本願発明における「発光態様」に相当する。
　また、刊行物発明における「小グループを構成するＬＥＤ基板Ｄ０２〜０３、Ｅ０２〜０４」は、「ＬＥＤ基板Ｄ０２〜０３、Ｅ０２〜０４」により、多数のＬＥＤが配置された領域を分けるものであることから、本願発明における「複数の発光体が配置された領域を分割した複数のブロック」に含まれるものである。
　そうすると、刊行物発明における「各ＬＥＤを、個別に又はグループで、オンオフはもちろんのこと、完全オフから最大輝度までの範囲内で調光等を行うためのＬＥＤドライバの制御態様に応じたデータバイト」は、小グループを構成するＬＥＤ基板Ｄ０２〜０３、Ｅ０２〜０４に配置されたＬＥＤの、オンオフ、及び、「完全オフから最大輝度までの範囲内」での「調光」を特定するものであるから、本願発明における「発光態様を特定可能な点灯制御情報」、及び、「ブロック制御情報」に相当する。
　したがって、刊行物発明における「小グループを構成するＬＥＤ基板Ｄ０２〜０３、Ｅ０２〜０４」へ送られる「ＬＥＤドライバの制御態様に応じたデータバイト」は、本願発明における「複数の発光体が配置された領域を分割した複数のブロックごとに」「作成」された「ブロック制御情報」に相当する。
　
　ゆえに、刊行物発明における構成ｃの「ＬＥＤ基板Ｄ０２〜０３、Ｅ０２〜０４に各々実装したＬＥＤを制御するものであり、各ＬＥＤを、個別に又はグループで、オンオフはもちろんのこと、完全オフから最大輝度までの範囲内で調光等を行うためのＬＥＤドライバの制御態様に応じたデータバイトを、スレーブアドレスにより指定した小グループを構成するＬＥＤ基板Ｄ０２〜０３、Ｅ０２〜０４、すなわち、ＬＥＤドライバＬＤｒ３２〜３３、ＬＤｒ４２〜４４へデータ転送」する「マイクロコントローラＭＳＴ」は、本願発明における構成Ｃの「複数の発光体の発光態様を特定可能な点灯制御情報として、複数の発光体が配置された領域を分割した複数のブロックごとにブロック制御情報を作成する制御情報作成手段」としての機能を有する。
　
（ｄ）上記（ｃ）より、刊行物発明における「ＬＥＤドライバの制御態様に応じたデータバイト」は、本願発明における「制御情報作成手段によって作成された点灯制御情報」に相当する。
　そして、刊行物発明における構成ｂより、「ＬＥＤ基板Ｄ０２〜０３、Ｅ０２〜０４に各々実装したＬＥＤ」は、多数のＬＥＤからなることから、本願発明における「複数の発光体」に相当する。
　したがって、刊行物発明における「各ＬＥＤを、個別に又はグループで、オンオフはもちろんのこと、完全オフから最大輝度までの範囲内で調光等を行う」ことは、本願発明における「複数の発光体の点灯制御を行う」ことに相当する。
　また、「ＬＥＤドライバＬＤｒ３２〜３３、ＬＤｒ４２〜４４」は、本願発明における「点灯制御手段」に相当する。
　ゆえに、刊行物発明における構成ｄの「ＬＥＤ基板Ｄ０２〜０３、Ｅ０２〜０４に各々実装したＬＥＤを制御するものであり、各ＬＥＤを、個別に又はグループで、オンオフはもちろんのこと、完全オフから最大輝度までの範囲内で調光等を行うためのＬＥＤドライバの制御態様に応じたデータバイト」が「データ転送」される「ＬＥＤドライバＬＤｒ３２〜３３、ＬＤｒ４２〜４４」は、本願発明における「制御情報作成手段によって作成された点灯制御情報に基づいて複数の発光体の点灯制御を行う点灯制御手段」に相当する。
　
（ｆ）上記（ｃ）より、刊行物発明における「ＬＥＤドライバの制御態様に応じたデータバイト」は、本願発明における「ブロック制御情報」に相当し、刊行物発明における「オンオフ」、及び、「完全オフから最大輝度までの範囲内」での「調光」は、本願発明における「発光態様」に相当する。
　そして、刊行物発明は、「各ＬＥＤを、個別に又はグループで、オンオフはもちろんのこと、完全オフから最大輝度までの範囲内で調光等を行う」ものであることから、個別にＬＥＤのオンオフや、調光を行うことが可能なものである。
　したがって、刊行物発明における構成ｆの「マイクロコントローラＭＳＴは、ＬＥＤ基板Ｄ０２〜０３、Ｅ０２〜０４に各々実装したＬＥＤを制御するものであり、各ＬＥＤを、個別に又はグループで、オンオフはもちろんのこと、完全オフから最大輝度までの範囲内で調光等を行う」ことは、本願発明における構成Ｆの「ブロック制御情報は、該ブロック制御情報に対応するブロックに含まれる１の発光体の発光態様と、該ブロックに含まれ前記１の発光体とは異なる発光態様で発光可能な他の発光体の発光態様とを、特定可能であ」ることに相当する。
　
（ｇ）刊行物発明における「演出用デバイスたる多数のＬＥＤにより、遊技中及び遊技待ち状態時、所定の電飾演出がされ」る「前扉右下飾りＬＥＤ基板Ｅ０２、前扉左下飾りＬＥＤ基板Ｅ０３、前扉左上飾りＬＥＤ基板Ｅ０４」のうちのいずれかのＬＥＤ基板は、本願発明における「特定数の発光体が含まれるように構成された第１のブロック」に相当する。
　同様に、刊行物発明における「演出用デバイスたる多数のＬＥＤにより、遊技中及び遊技待ち状態時、所定の電飾演出がされ」る「センター飾りＬＥＤ基板Ｄ０２、及び、センター飾りＬＥＤ基板Ｄ０３」のうちのいずれかのＬＥＤ基板は、本願発明における「特定数の発光体が含まれるように構成された」「第２のブロック」に相当する。
　したがって、刊行物発明における構成ｇは、本願発明における構成Ｇの「複数のブロックは、いずれも特定数の発光体が含まれるように構成された第１のブロックと第２のブロックとを含」むことに相当する。
　
（ｈ）上記（ｃ）より、刊行物発明における「制御態様に応じたデータバイト」は、本願発明における「点灯制御情報を含む制御信号」に相当する。
　そして、刊行物発明における「２系統のシリアルデータラインＳＤＡ１，ＳＤＡ２」、本願発明における「複数系統のシリアル信号配線」に相当する。
　また、刊行物発明における「データ転送を行」うことは、本願発明における「出力する出力手段を含」むことに相当する。
　したがって、刊行物発明における構成ｈの「マイクロコントローラＭＳＴ」は、本願発明における構成Ｈの「点灯制御情報を含む制御信号をシリアル信号方式で複数系統のシリアル信号配線に出力する出力手段を含」む「制御情報作成手段」としての機能を有する。
　
（ｉ）上記（ｈ）より、「ＳＤＡ１」と「ＳＤＡ２」は、本願発明における「複数系統のシリアル信号配線」に相当する。
　そして、刊行物発明における「ＳＤＡ１に接続される第１大グループに含まれる基板群ＥのＬＥＤドライバ」は、構成ｃ〜ｄ、ｆより、ＬＤｒ４２〜４４の３つのドライバを含むことから、本願発明における「（所定）系統のシリアル信号配線に接続された」「制御回路」に相当する。
　同様に、刊行物発明における「ＳＤＡ２に接続される第２大グループに含まれる基板群ＤのＬＥＤドライバ」は、構成ｃ〜ｄ、ｆより、ＬＤｒ３２〜３３の２つのドライバを含むことから、本願発明における「（他）系統のシリアル信号配線に接続された」「制御回路」に相当する。
　したがって、刊行物発明における構成ｉ〜ｊの「ＬＥＤドライバ」は、本願発明における「点灯制御手段は、複数系統のシリアル信号配線に接続された複数の制御回路を含」むことに相当する。
　
（ｊ）刊行物発明における「第１大グループに含まれる基板群ＥのＬＥＤドライバ」は「ＳＤＡ１に接続される」ことは、本願発明における「複数の制御回路のうち、第１のブロックに含まれる特定数の発光体の点灯制御を行うための制御回路は、複数系統のシリアル信号配線のうち第１系統のシリアル信号配線を介して接続され」ることに相当する。
　同様に、刊行物発明における「第２大グループに含まれる基板群ＤのＬＥＤドライバ」は「ＳＤＡ２に接続される」ことは、「ＳＤＡ２」が「ＳＤＡ１」異なるシリアルデータラインであることことから、本願発明における「複数の制御回路のうち」「第２のブロックに含まれる特定数の発光体の点灯制御を行うための制御回路は、複数系統のシリアル信号配線のうち第１系統のシリアル信号配線とは異なる第２系統のシリアル信号配線を介して接続され」ることに相当する。
　したがって、刊行物発明における構成ｉ〜ｊは、本願発明における構成Ｊの「複数の制御回路のうち、第１のブロックに含まれる特定数の発光体の点灯制御を行うための制御回路は、複数系統のシリアル信号配線のうち第１系統のシリアル信号配線を介して接続され、第２のブロックに含まれる特定数の発光体の点灯制御を行うための制御回路は、複数系統のシリアル信号配線のうち第１系統のシリアル信号配線とは異なる第２系統のシリアル信号配線を介して接続される」に相当する。
　
　上記（ａ）〜（ｊ）における対比から、本願発明と刊行物発明とは、
「Ａ　所定の遊技を行う遊技機であって、
Ｂ’列状に配置された複数の発光体の発光態様により表示演出を実行する表示手段と、
Ｃ　前記複数の発光体の発光態様を特定可能な点灯制御情報として、前記複数の発光体が配置された領域を分割した複数のブロックごとにブロック制御情報を作成する制御情報作成手段と、
Ｄ　前記制御情報作成手段によって作成された点灯制御情報に基づいて前記複数の発光体の点灯制御を行う点灯制御手段とを備え、
Ｆ　前記ブロック制御情報は、該ブロック制御情報に対応するブロックに含まれる１の発光体の発光態様と、該ブロックに含まれ前記１の発光体とは異なる発光態様で発光可能な他の発光体の発光態様とを、特定可能であり、
Ｇ　前記複数のブロックは、いずれも特定数の発光体が含まれるように構成された第１のブロックと第２のブロックとを含み、
Ｈ　前記制御情報作成手段は、点灯制御情報を含む制御信号をシリアル信号方式で複数系統のシリアル信号配線に出力する出力手段を含み、
Ｉ　前記点灯制御手段は、前記複数系統のシリアル信号配線に接続された複数の制御回路を含み、
Ｊ　前記複数の制御回路のうち、前記第１のブロックに含まれる特定数の発光体の点灯制御を行うための制御回路は、前記複数系統のシリアル信号配線のうち第１系統のシリアル信号配線を介して接続され、前記第２のブロックに含まれる特定数の発光体の点灯制御を行うための制御回路は、前記複数系統のシリアル信号配線のうち前記第１系統のシリアル信号配線とは異なる第２系統のシリアル信号配線を介して接続される、
　遊技機。
　の点で一致し、構成Ｅに関し、次の点で相違する。
　
［相違点１］（構成Ｂについて）
　列状に配置された複数の発光体に関して、本願発明は、整列配置されているのに対して、刊行物発明は、整列配置されているか明らかでない点。
［相違点２］（構成Ｅについて）
　制御情報作成手段に関して、本願発明は、表示演出における表示内容を特定可能な表示データに基づいて点灯制御情報を作成するのに対して、刊行物発明は、そのような構成を備えるか否か不明である点で相違する。
　
５　当審の判断
（１）相違点について
　　ア　相違点１について
　上記相違点１について検討する。
　刊行物発明において、ＬＥＤによる表示内容、ＬＥＤ基板の設置箇所等を考慮して、ＬＥＤ基板へのＬＥＤの配置を“列状”とするか“整列”とするかは、当業者が適宜なし得たものである。
　
　また、遊技機の技術分野において、表示手段に複数の発光体を整列表示させることは、本願出願前に周知の技術事項であり（例えば、上記刊行物３の【００６４】〜【００６５】、【図１】、【図４】には、フルカラーＬＥＤ０〜７を順次配設した回転体６１について記載され、原査定の拒絶の理由で提示された特開２０１０−１５８３５９号公報の【００６８】〜【００７１】、【図１４】〜【図１６】には、基板７０５にＬＥＤを整列配置させたことについて示され、前置報告書において提示された特開平１０−８５４０７号公報の【００１２】〜【００１３】、【図３】には、プリント基板に一対のＬＥＤをマトリックス状に並設させたＬＥＤ表示器３３について記載されている。）、刊行物発明に当該周知の技術事項を適用して、ＬＥＤ基板にＬＥＤを整列配置させることは当業者が容易になし得たものである。
　
　したがって、刊行物発明に基づいて、あるいは、刊行物発明、及び、上記周知の技術事項に基づいて、上記相違点１に係る本願発明の構成とすることは当業者が容易になし得たものである。
　
　　イ　相違点２について
　上記相違点２について検討する。
　刊行物発明において、構成ｅにより、「マイクロコントローラＭＳＴ」は、「アドレス指定するＬＥＤドライバの制御態様に応じて、必要なデータバイトを送」るものであり、構成ａより、「マイクロコントローラＭＳＴ」は「ＲＯＭ／ＲＡＭ」と一体のものである。
　そして、刊行物発明において、「マイクロコントローラＭＳＴ」に一体に設けた「ＲＯＭ」に各種「データバイト」を記憶しておき、「マイクロコントローラＭＳＴ」からの指令により「ＲＯＭ」に記憶されている「データバイト」を変換し（圧縮の解凍等を行い）、ＬＥＤドライバへ送信可能な状態の「必要なデータバイト」を作成することは、当業者が適宜なし得たものである。
　
　ここで、刊行物３に記載された技術事項に基づいて、さらに検討する。
　刊行物３に記載された技術事項の「マスキング処理された後の点灯データ」は、本願発明における「点灯制御情報」に相当する。
　また、刊行物３に記載された技術事項のマスキング処理される前の「点灯データ」は、本願発明における「表示データ」に相当する。
　したがって、刊行物３に記載された技術事項は、本願発明の構成Ｅに相当する。
　そして、刊行物発明と刊行物３に記載された技術事項とは、ＬＥＤを用いた表示演出を行う遊技機である点で共通するすると共に、所定の演出効果を達成できる遊技機を提供するという共通の課題を解決するものである。
　
　したがって、刊行物発明の制御情報作成手段に刊行物３に記載された技術事項を適用して、点灯制御情報を表示演出における表示内容を特定可能な表示データに基づいて作成し、上記相違点２に係る本願発明の構成とすることは当業者が容易になし得たものである。
　
（２）請求人の主張について
　平成３０年３月２９日付け意見書において、請求人は、「３．　本願発明と刊行物に記載された発明との対比
　本願の請求項１に係る発明が備える出力手段は、点灯制御情報を含む制御信号をシリアル信号方式で複数系統のシリアル信号配線に出力します。加えて、複数系統のシリアル信号配線に接続された複数の制御回路のうち、第１のブロックに含まれる特定数の発光体の点灯制御を行うための制御回路は、複数系統のシリアル信号配線のうち第１系統のシリアル信号配線を介して接続され、第２のブロックに含まれる特定数の発光体の点灯制御を行うための制御回路は、複数系統のシリアル信号配線のうち第１系統のシリアル信号配線とは異なる第２系統のシリアル信号配線を介して接続されます。
　これに対し、刊行物１に記載された各ＬＥＤ基板Ａ０１，Ａ０２，Ａ０３，Ａ０４，Ｂ０１，Ｂ０２，Ｂ０３，Ｃ０１，Ｃ０２，Ｄ０１，Ｄ０２，Ｄ０３，Ｄ０４，Ｄ０５，Ｄ０６，Ｄ０７，Ｅ０１，Ｅ０２，Ｅ０３，Ｅ０４，Ｆ０１，Ｆ０２，Ｆ０３，Ｆ０４に各々実装したＬＥＤは、第２演出用マイクロコンピュータＣＰＵ２の入出力ポートにおける２ラインのシリアル通信方式により制御されます。このように、刊行物１に記載されたシリアル通信方式は、単一系統のシリアル信号配線を介して複数のブロックに含まれるＬＥＤの点灯制御を行うための制御回路が接続されている点で、本願の請求項１に係る発明の特徴とは相違しています。」（第３頁第１３〜２８行）と主張する。
　
　しかしながら、刊行物発明は、前記「４　対比」において検討したように、２系統のシリアルデータライン（ＳＤＡ１、ＳＤＡ２）を介して複数の基板（「ブロック」）に含まれるＬＥＤの点灯制御を行うためのＬＥＤドライバ（「制御回路」）が接続されている構成を備えるものである（構成ｈ〜ｊ）。
　したがって、上記請求人の主張を採用することはできない。
　
（３）小括
　本願発明により奏される効果は、当業者が、刊行物発明、上記周知の技術事項、及び、刊行物３に記載された技術事項から予測し得る効果の範囲内のものであって、格別のものではない。
　よって、本願発明は、刊行物発明、上記周知の技術事項、及び、刊行物３に記載された技術事項に基いて、当業者が容易に発明をすることができたものである。
　
６　むすび
　以上のとおりであるから、本願発明は、特許法第２９条第２項の規定により特許を受けることができない。
　したがって、本願は拒絶すべきものである。
　よって、結論のとおり審決する。